(57)【要約】【課題】運転免許証等のＩＤカードの発行申請者自身が気に入った顔画像を選択でき、ＩＤカードに顔写真として添付することが可能なＩＤカード作成システムを提供することを目的とする。【解決手段】オペレータが申請者を撮影する撮影手段１６を備えた撮影管理装置３と、撮影管理装置３により形成された顔画像データに基づいて顔写真付きＩＤカードを作成する作成装置４とが接続されてなるＩＤカード作成システム１において、撮影管理装置３には、申請者が自分の顔画像を撮影するための撮影手段８と撮影した顔画像を表示するモニタ９とを備え申請者の操作により繰り返し撮影可能に構成された補助撮影装置２がネットワークを介して接続されており、撮影管理装置３は、顔画像データに基づいて顔画像を表示するモニタ１７を備える。【選択図】  図１
2005074842.tif 000002
【特許請求の範囲】
【請求項１】
オペレータがＩＤカードの発行申請者を撮影するための撮影手段を備えた撮影管理装置と、前記撮影管理装置により形成されたＩＤカードの発行申請者の顔画像データに基づいて顔写真付きＩＤカードを作成する作成装置とが接続されてなるＩＤカード作成システムにおいて、
前記撮影管理装置には、前記発行申請者が自分の顔画像を撮影して顔画像データを形成するための撮影手段と撮影した前記顔画像を表示するモニタとを備え前記発行申請者の操作により繰り返し撮影可能に構成された補助撮影装置がネットワークを介して接続されており、
前記撮影管理装置は、前記顔画像データに基づいて顔画像を表示するモニタを備えることを特徴とするＩＤカード作成システム。
【請求項２】
前記補助撮影装置は、前記ＩＤカードの発行申請者の顔画像データとＩＤ番号とを関連づけて前記撮影管理装置に送信するよう構成されていることを特徴とする請求項１に記載のＩＤカード作成システム。
【請求項３】
前記補助撮影装置は、前記ＩＤカードの発行申請者の顔画像データを保存するための記憶部を備え、前記撮影管理装置は、入力された前記ＩＤカードの発行申請者のＩＤ番号に応じて、前記補助撮影装置の記憶部からそのＩＤ番号と関連づけて保存された顔画像データを転送させるよう構成されていることを特徴とする請求項１に記載のＩＤカード作成システム。
【請求項４】
前記ＩＤカードは運転免許証であることを特徴とする請求項１に記載のＩＤカード作成しシステム。
【請求項５】
更新前の運転免許証を用いて前記補助撮影装置または前記撮影管理装置にＩＤ番号を入力することを特徴とする請求項４に記載のＩＤカード作成システム。
【発明の詳細な説明】
【技術分野】
【０００１】
本発明は、ＩＤカード作成システムに係り、特に運転免許証等のＩＤカードの発行申請者自身が気に入った顔画像を選択でき、ＩＤカードに顔写真として添付することが可能なＩＤカード作成システムに関する。
【背景技術】
【０００２】
近年、運転免許証等の免許証類、身分証明書、パスポート、外国人登録証、図書館利用カード、キャッシュカード、クレジットカード、従業員証、社員証、会員証、医療カードおよび学生証等のＩＤカードに、氏名や住所、所属部署等の記載事項のほかに顔写真を添付したものが多く発行されている。従来は、ＩＤカードに顔写真を貼付したものや、その両面をラミネート加工したＩＤカードも多かったが、現在では、ＩＤカードの発行申請者（以下、単に申請者という場合がある）の顔を、撮影手段を備えた撮影管理装置で撮影して画像データ（以下、顔画像データという）に変換し、それに基づいてＩＤカードに直接記録する方法が採られるようになっている（例えば特許文献１参照）。
【０００３】
例えば、運転免許証の交付においては、先ず、運転免許の新規交付や更新の申請者が所定の位置に着座して、撮影手段を備えた撮影管理装置を用いてオペレータが申請者の顔写真を撮影する。そして、それが顔画像データに変換され作成装置に送信されて、顔写真付きの運転免許証が作成される。
【特許文献１】特開２００３−１９６６５２号公報
【発明の開示】
【発明が解決しようとする課題】
【０００４】
しかし、自分が気に入った写真を提出してＩＤカードを作成する場合と異なり、その場で顔写真を撮影する前述のＩＤカードの場合、発行または交付されたＩＤカードに添付された顔写真が申請者の気に入らない表情で写っていて不満が残る場合がある。特に、運転免許証等は種々の手続きの際に身分を証明するものとして使われることが多いので、交付後数年間、運転免許証を提示する度に不愉快な思いをしなければならない。
【０００５】
一方、特に運転免許証等の公的なＩＤカードでは、添付された顔写真が本人のものであることをオペレータ等の第三者が確認しなければならない。しかも、オペレータは、通常、多数の申請を処理する必要から、申請者の顔写真の撮影を迅速に回転良く行わなければならない。そのため、運転免許証に添付される顔写真は、申請者本人であることを証明できる程度のものであればよく、申請者が写真に写った顔の表情を気に入るかどうかは問題にされない。従って、表情が気に入らないことを理由として写真の取り直しを請求しても、通常、認められることはない。
【０００６】
このように、免許の交付や社員証の発行等を受けた者の比較的多数が前述したような不満を感じており、写真の取り直しに対する潜在的な要望は大きい。また、特に前記の運転免許証の作成等においては、写真を撮影する側のオペレータの負担も大きい。
【０００７】
そこで、本発明の課題は、運転免許証等のＩＤカードの発行申請者自身が気に入った顔画像を選択でき、ＩＤカードに顔写真として添付することが可能なＩＤカード作成システムを提供することである。また、前述したようなオペレータの負担を軽減することが可能なＩＤカード作成システムを提供することである。
【課題を解決するための手段】
【０００８】
前述の問題を解決するために、請求項１に記載のＩＤカード作成システムは、オペレータがＩＤカードの発行申請者を撮影するための撮影手段を備えた撮影管理装置と、前記撮影管理装置により形成されたＩＤカードの発行申請者の顔画像データに基づいて顔写真付きＩＤカードを作成する作成装置とが接続されてなるＩＤカード作成システムにおいて、前記撮影管理装置には、前記発行申請者が自分の顔画像を撮影して顔画像データを形成するための撮影手段と撮影した前記顔画像を表示するモニタとを備え前記発行申請者の操作により繰り返し撮影可能に構成された補助撮影装置がネットワークを介して接続されており、前記撮影管理装置は、前記顔画像データに基づいて顔画像を表示するモニタを備えることを特徴とする。
【０００９】
請求項１に記載の発明によれば、申請者が、補助撮影装置で繰り返し自分の顔画像を撮影することが可能となる。また、オペレータは撮影管理装置のモニタに表示された顔画像と申請者を見比べて本人確認を行うことができる。
【００１０】
請求項２に記載の発明は、請求項１に記載のＩＤカード作成システムにおいて、前記補助撮影装置は、前記ＩＤカードの発行申請者の顔画像データとＩＤ番号とを関連づけて前記撮影管理装置に送信するよう構成されていることを特徴とする。
【００１１】
請求項２に記載の発明によれば、補助撮影装置から撮影管理装置にＩＤ番号と関連づけた状態で申請者の顔画像データが送信される。
【００１２】
請求項３に記載の発明は、請求項１に記載のＩＤカード作成システムにおいて、前記補助撮影装置は、前記ＩＤカードの発行申請者の顔画像データを保存するための記憶部を備え、前記撮影管理装置は、入力された前記ＩＤカードの発行申請者のＩＤ番号に応じて、前記補助撮影装置の記憶部からそのＩＤ番号と関連づけて保存された顔画像データを転送させるよう構成されていることを特徴とする。
【００１３】
請求項３に記載の発明によれば、撮影管理装置に申請者のＩＤ番号が入力された時点で、補助撮影装置からそのＩＤ番号と関連づけられた顔画像データが送信される。
【００１４】
請求項４に記載の発明は、請求項１に記載のＩＤカード作成しシステムにおいて、前記ＩＤカードは運転免許証であることを特徴とする。
【００１５】
請求項４に記載の発明によれば、運転免許証の交付申請者が、補助撮影装置で繰り返し自分の顔画像を撮影することが可能となる。また、オペレータは、撮影管理装置のモニタに表示された顔画像と申請者を見比べて本人確認を行うことができる。
【００１６】
請求項５に記載の発明は、請求項４に記載のＩＤカード作成システムにおいて、更新前の運転免許証を用いて前記補助撮影装置または前記撮影管理装置にＩＤ番号を入力することを特徴とする。
【００１７】
請求項５に記載の発明によれば、運転免許証の更新申請者が、更新前の運転免許証を用いて補助撮影装置または撮影管理装置にＩＤ番号を読み込ませることが可能となる。
【発明の効果】
【００１８】
請求項１に記載の発明によれば、申請者は、補助撮影装置のモニタに気に入る顔画像が表示されるまで写真撮影を繰り返して自分が気に入った顔画像を選択でき、その顔画像をＩＤカードに顔写真として添付することが可能となる。また、オペレータは、撮影作業を申請者自身が行うため、顔画像が申請者本人のものであることを撮影管理装置のモニタで確認するだけでよく、作業の負担が軽減される。
【００１９】
請求項２に記載の発明によれば、補助撮影装置から撮影管理装置にＩＤ番号と関連づけた状態で申請者の顔画像データが送信されるため、ＩＤ番号を指定することでそれに対応する顔画像データが送信され表示される等、的確に管理することが可能となる。
【００２０】
請求項３に記載の発明によれば、撮影管理装置に申請者のＩＤ番号が入力された時点で、補助撮影装置からそのＩＤ番号と関連づけられた顔画像データが送信されるため、撮影管理装置の記憶部が未処理の顔画像データで容量がオーバーしたり、記憶部に対する検索に時間が掛かったりする事態が避けられる。
【００２１】
請求項４に記載の発明によれば、運転免許証の交付申請者は、補助撮影装置で繰り返し自分の顔画像を撮影することが可能となる。また、オペレータは、撮影管理装置のモニタに表示された顔画像と申請者を見比べて本人確認を行うことができる。また、オペレータは、撮影作業を申請者自身が行うため、顔画像が申請者本人のものであることを撮影管理装置のモニタで確認するだけでよく、作業の負担が軽減される。
【００２２】
請求項５に記載の発明によれば、運転免許証の更新申請者は、更新前の運転免許証を補助撮影装置または撮影管理装置に読み込ませるだけでＩＤ番号、即ち運転免許証番号等を入力できるので、運転免許証の更新を簡単に行うことができる。
【発明を実施するための最良の形態】
【００２３】
以下に、本発明のＩＤカード作成システムに係る実施の形態について、図面を参照して説明する。
【００２４】
図１は、本実施形態に係るＩＤカード作成システムの概略図であり、ＩＤカード作成システム１は、ＩＤカードの発行申請者が自分の顔画像を撮影して顔画像データを形成する補助撮影装置２と、オペレータ（図示しない）がＩＤカードの発行申請者Ｑを撮影するための撮影手段を備えた撮影管理装置３と、申請者のＩＤ番号や氏名、住所等のＩＤデータを蓄積し撮影管理装置３に送信するホストコンピュータ５と、前記補助撮影装置２と前記撮影管理装置３とにより形成された顔画像データとホストコンピュータ５から送信されたＩＤデータに基づいて顔写真付きＩＤカードを作成する作成装置４とを備え、互いにネットワークを介して接続されてなる。
【００２５】
補助撮影装置２は、ボックス型またはブース型の撮影室６内に設置されている。撮影室６には、このほか、申請者が着座する椅子７や照明装置（図示しない）が設けられている。また、本実施形態では、このような撮影室６が複数設けられている。
【００２６】
補助撮影装置２の上部には、申請者を撮影するカメラ等の撮影手段８および撮影した申請者の顔画像を表示するモニタ９が、椅子７に着座した申請者の顔面に対向するよう固定されている。補助撮影装置２の前面には、操作パネル１０が設置されており、操作パネル１０には、申請者がモニタ９に表示された自分の顔画像をＩＤカードに添付したい場合に押す確認ボタン１１と、撮影を開始する場合および再度撮影を行う場合に押す撮影ボタン１２が取り付けられている。更に、操作パネル１０には、申請者が自分のＩＤ番号を入力するためのタッチパネルやキーボード（図示しない）が設けられている。
【００２７】
図２は、補助撮影装置の制御構成を示すブロック図である。制御部１３は、操作パネル１０のタッチパネル等の入力手段１４からの入力信号に応じて入力手段１４から入力されたＩＤ番号を記憶部１５に保存させ、同時に撮影手段８に申請者Ｐの顔部分を撮影させてその顔画像を顔画像データに変換して記憶部１５に保存させ、更にその顔画像をモニタ９に表示させるよう構成されている。また、制御部１３は、撮影ボタン１２からの入力信号に応じて再び撮影手段８により申請者Ｐの顔部分を撮影して顔画像データを記憶部１５に保存させると同時に顔画像をモニタ９に表示させ、確認ボタン１１からの入力信号に応じて、モニタ９に表示させている顔画像に対応し記憶部１５に保存されている顔画像データと前記ＩＤ番号とを関連づけて撮影管理装置３に送信するよう構成されている。
【００２８】
補助撮影装置２には、ネットワークを介して撮影管理装置３が接続されている（図１参照）。撮影管理装置３の上面には、オペレータ（図示しない）が申請者Ｑを撮影するための撮影手段１６と、申請者Ｐおよび申請者Ｑの顔画像を表示するモニタ１７と、操作パネル１８とが設置されており、操作パネル１８には、申請者ＱのＩＤ番号を入力するためのタッチパネルやキーボード（図示しない）が設けられている。また、操作パネル１８には、オペレータが申請者の本人確認をして確認された場合に押す確認ボタン１９および本人確認ができない場合に押す取消ボタン２０が取り付けられている。
【００２９】
撮影管理装置３には、ネットワークを介してホストコンピュータ５が接続されている（図１参照）。ホストコンピュータ５には、ＩＤカードの発行申請者が申請時に提出した申請書類に基づいて申請者のＩＤ番号や氏名、住所等のＩＤデータが入力され保存されている。また、撮影管理装置３には、撮影管理装置３から対として送信された申請者ＰおよびＱの顔画像データとＩＤデータとに基づいて顔写真付きのＩＤカードを作成する作成装置４が接続されている。
【００３０】
図３は、撮影管理装置の制御構成を示すブロック図である。制御部２１は、タッチパネル等の入力手段２２からのＩＤ番号の入力信号に応じて、記憶部２３にそのＩＤ番号に関連づけられ前記補助撮影装置２から送信された顔画像データが保存されていれば、その顔画像データに基づいてモニタ１７に申請者Ｐの顔画像を表示させ、記憶部２３にそのＩＤ番号に対応する顔画像データが保存されていない場合は、撮影手段１６に申請者Ｑを撮影させ、得られた顔画像データとＩＤ番号とを関連づけて記憶部２３に保存させると同時にその顔画像データに基づいて申請者Ｑの顔画像をモニタ１７に表示させるよう構成されている。また、制御部２１は、確認ボタン１９からの入力信号に応じて、表示されている顔画像のＩＤ番号に対応するＩＤデータをホストコンピュータ５に送信させて、作成装置４に前記顔画像データとこのＩＤデータを対として送信し、また、取消ボタン２０からの入力信号に応じて、申請者Ｑの顔画像データを消去するよう構成されている。
【００３１】
次に、本実施形態のＩＤカード作成システムの作用について説明する。図４は、本実施形態のＩＤカード作成システムにより実行されるＩＤカード発行までのフローチャートである。以下、図１〜図３に基づき、図４のフローチャートに示された流れに沿って説明する。
【００３２】
先ず、ホストコンピュータ５に、申請者が申請時に提出した申請書類に基づいて、申請者のＩＤ番号や氏名、住所等のＩＤデータが入力され保存される。
【００３３】
次に、撮影室６の椅子７に着座したＩＤカードの発行申請者Ｐにより、補助撮影装置２の操作パネル１０の入力手段１４にＩＤ番号が入力されると（ＳＴ１）、入力手段１４から制御部１３に入力信号が送信され、制御部１３はそのＩＤ番号を記憶部１５に送信させて保存させる。それと同時に、制御部１３は、モニタ９に撮影ボタン１２を押すよう表示させる。申請者Ｐが撮影ボタン１２を押すと撮影信号が制御部１３に送信され、制御部１３は、撮影手段８に申請者Ｐを撮影させ（ＳＴ２）、撮影された申請者Ｐの顔画像を顔画像データに変換して記憶部１５に保存すると同時に顔画像をモニタ９に表示させる（ＳＴ３）。
【００３４】
申請者Ｐがモニタ９に表示された顔画像をチェックして（ＳＴ４）、確認ボタン１１を押すと（ＳＴ５）、確認ボタン１１から制御部１３に確認信号が送信される。制御部１３はモニタ９に表示されている顔画像に対応し記憶部１５に保存されている顔画像データと前記ＩＤ番号とを関連づけて撮影管理装置３に送信する。また、顔画像チェック（ＳＴ４）の段階で、再び撮影ボタン１２が押されると、制御部１３は再び撮影手段８を作動させて申請者Ｐを撮影し、顔画像をモニタ９に表示する撮影（ＳＴ２）および顔画像表示（ＳＴ３）の工程を繰り返す。
【００３５】
ＩＤ番号と関連づけられた申請者Ｐの顔画像データが補助撮影装置２から撮影管理装置３に送信されると、撮影管理装置３の制御部２１は、その顔画像データを記憶部２３に保存させる。また、撮影管理装置３の操作パネル１８のタッチパネル等の入力手段２２からＩＤ番号が入力されると（ＳＴ６）、制御部２１は、タッチパネル等の入力手段２２からのＩＤ番号の入力信号に応じて、記憶部２３にそのＩＤ番号に関連づけられた顔画像データが保存されているかどうかを検索する。そのＩＤ番号に関連づけられた顔画像データが記憶部２３に保存されていれば、その顔画像データに基づいてモニタ１７に顔画像を表示させる。また、記憶部２３にそのＩＤ番号に対応する顔画像データが保存されていなければ、撮影手段１６に申請者Ｑを撮影させ（ＳＴ７）、得られた顔画像データとＩＤ番号とを関連づけて記憶部２３に保存させると同時にその顔画像データに基づいて申請者Ｑの顔画像をモニタ１７に表示させる（ＳＴ８）。
【００３６】
モニタ１７に表示された顔画像が申請者本人のものである、または本人であると認識するに足るとしてオペレータにより本人確認が行われ（ＳＴ９）、確認ボタン１９が押されると（ＳＴ１０）、制御部２１は、確認ボタン１９からの入力信号に応じて、表示されている顔画像のＩＤ番号に対応するＩＤデータをホストコンピュータ５に送信させて、顔画像データとこのＩＤデータを対として作成装置４に送信する。そして、作成装置４は、送信されてきたＩＤ番号等のデータと合成された顔画像データに基づいて顔写真付きＩＤカードを作成し（ＳＴ１１）、発行する（ＳＴ１２）。オペレータによる本人確認（ＳＴ９）において、顔画像が申請者本人のものではない、または本人であるとは認識できないと判断されて取消ボタン２０が押されると、制御部２１は、その顔画像データを記憶部２３から消去する。
【００３７】
以上より、本発明のＩＤカード作成システム１によれば、申請者Ｐは、補助撮影装置２で顔写真を撮影する場合、モニタ９に表示された自分の顔画像を見て、気に入れば確認ボタン１１を押し、気に入らなければ気に入る顔画像が表示されるまで撮影ボタン１２を押して撮影を繰り返すことができる。そのため、申請者は、自分が気に入った顔画像を選択でき、その顔画像をＩＤカードに顔写真として添付することができる。一方、オペレータは、従来オペレータが行っていた撮影作業を申請者が行うため、顔画像が申請者本人のものであることを撮影管理装置３のモニタ１７で確認するだけでよく、作業の負担が軽減される。
【００３８】
また、撮影管理装置３におけるオペレータによる本人確認（ＳＴ９、図４参照）において、取消ボタン２０が押され顔画像データ等のデータが消去された場合、申請者は、改めて補助撮影装置２に対するＩＤ番号入力（ＳＴ１）からの手順を再度行うことが可能である。また、申請者は、撮影管理装置３でのオペレータによる撮影（ＳＴ７）からの手順で顔写真付きＩＤカードを作成することも可能であり、申請者の選択の幅が広がる。
【００３９】
なお、本実施形態では、補助撮影装置２において申請者Ｐが顔画像を選択するとその顔画像データとＩＤ番号とが関連づけられて即座に撮影管理装置３に送信されるよう構成されている場合を示したが、例えば、顔画像データとＩＤ番号とが関連づけられた後、一旦補助撮影装置２の記憶部１５に保存され、撮影管理装置３にＩＤ番号が入力されると、それに応じて補助撮影装置２の記憶部１５から撮影管理装置３にそのＩＤ番号と関連づけられた顔画像データが転送されるよう構成することも当然可能である。
【００４０】
また、ＩＤカードが運転免許証であり、ＩＤカード作成システム１が運転免許証作成システムである場合には、前述したような運転免許証に添付された顔写真に対する交付申請者の不満が解消され、また交付申請者の撮影を迅速に回転良く行わなければならないオペレータの負担の軽減効果が非常に大きなものとなる。
【００４１】
さらに、補助撮影装置２や撮影管理装置３に申請書類を直接差し込む投入口等を設け、申請書類からＩＤデータを直接読み込むよう構成すれば、例えば、ＩＤカードが運転免許証である場合には、更新前の運転免許証を直接補助撮影装置２等に読み込ませて自動的に運転免許証番号等が入力されるよう構成することが可能となり、運転免許証の更新を簡単に行うことができるようになる。
【００４２】
補助撮影装置２のモニタ９に、繰り返し撮影された顔画像をすべて表示し、その中から申請者が１つの顔画像を選択するよう形成することも可能である。
【００４３】
また、補助撮影装置２で撮影されＩＤ番号等のデータと合成された顔画像データをＭＤ（ミニディスク）等の可搬メディアに記録し、その可搬メディアを撮影管理装置３に読み込ませて本人確認を行うよう形成することも可能である。このように形成すれば、例えば、申請者が自宅近くの補助撮影装置２で顔画像データ等を可搬メディアに記録しておき、都合のよいときに撮影管理装置３および作成装置４がある場所に行ってＩＤカードを作成することが可能となり、申請者にとって便利である。
【図面の簡単な説明】
【００４４】
【図１】本実施形態に係るＩＤカード作成システムの概略図である。
【図２】補助撮影装置の制御構成を示すブロック図である。
【図３】撮影管理装置の制御構成を示すブロック図である。
【図４】本実施形態のＩＤカード作成システムにより実行されるＩＤカード発行までのフローチャートである。
【符号の説明】
【００４５】
１    ＩＤカード作成システム
２    補助撮影装置
３    撮影管理装置
４    作成装置
８    撮影手段
９    モニタ
１６  撮影手段
１７  モニタ
Ｐ、Ｑ  申請者
【図１】
2005074842.tif 000003
【図２】
2005074842.tif 000004
【図３】
2005074842.tif 000005
【図４】
2005074842.tif 000006